(57)【特許請求の範囲】
【請求項１】
錠本体の外周面に鍵穴を設けると共に該錠本体の上面に施錠杆を取着した錠に使用され、
前記錠本体を収納して前記鍵穴を塞ぐようにした合成樹脂製の錠用封印カバーであって、
上面が開放すると共に周側壁と底壁とにより囲われる箱状のカバー本体を有し、
前記周側壁の上端に掛止片を突設すると共に該掛止片に前記施錠杆の自由端側が挿通される通孔を開設し、
前記掛止片の通孔に前記施錠杆の自由端側を挿通して施錠した状態では前記カバー本体または掛止片を切断しない限り前記錠本体から該カバー本体が外せないようになっていることを特徴とする錠用封印カバー。
【請求項２】
前記周側壁と底壁とに連続する切断可能な肉薄線部が設けられ、
前記肉薄線部に沿って前記カバー本体を切断した状態では前記錠本体の鍵穴が外部に露出するようにした請求項１記載の錠用封印カバー。
【請求項３】
前記カバー本体は前後・左右の四側壁と底壁とにより囲われ上面が開放した四角い箱状に形成され、
前記四側壁のうち一側壁の上端に前記掛止片が突設され、一側壁に対向する他側壁と底壁との内周面であってそれぞれ両側縁に切断可能な一対の肉薄線部を設けた請求項２記載の錠用封印カバー。
【発明の詳細な説明】
【技術分野】
【０００１】
本発明は、南京錠や蔵錠といった錠を収納して使用され、該錠が不正に開錠されたか否かが外観上容易に解るようにした錠用封印カバーに関するものである。
【背景技術】
【０００２】
従来、錠の一種として南京錠があるが、この南京錠は例えば郵便受けの蓋をロックするなど、該蓋が無断で開放されるのを防止する手段として使用されている（例えば、特許文献１参照。）。南京錠は、錠本体の外周面に鍵穴が設けられ、該錠本体の一側にロックするための施錠杆が取着されている。
【０００３】
【特許文献１】特開平２００２−３１５６６６号公報（第３−５頁、図１）
【発明の開示】
【発明が解決しようとする課題】
【０００４】
ところで、前記南京錠は、安価でありかつ取扱が容易であることから一般に広く利用されている。また、該南京錠は鍵穴が錠本体の外周面に設けられているが、それ用の鍵を使わずに、例えば、針金等でも簡単に開けられる構造をしている。このため、南京錠を無断で開錠して郵便受け内を覗いた後に、再度元の通りに施錠しておけば、その南京錠を開錠したという痕跡が残らず、そのような不正行為を発見することは困難であるという課題が有る。
【０００５】
そこで、本発明は上記課題を解決すべくなされたもので、無断で錠を開錠する不正行為が行なわれた場合に、その痕跡が外観上容易に解るようにすることで不正な開錠を未然に防止し、また、不正行為が行なわれたときは、その行為をつぶさに知り得てその対処を速やかに取れるようにした錠用封印カバーを提供することを目的とするものである。
【課題を解決するための手段】
【０００６】
かかる目的を達成するため本発明の錠用封印カバーは、錠本体の外周面に鍵穴を設けると共に該錠本体の一側に施錠杆を取着した錠に使用され、前記錠本体を収納して前記鍵穴を塞ぐようにした合成樹脂製の錠用封印カバーであって、一側面が前記錠本体を収納するために開放する箱状のカバー本体と、前記カバー本体から突設されると共に前記施錠杆を挿通する通孔が開設された掛止片と、からなり、前記通孔は前記カバー本体内に収納した前記錠本体が抜け出て前記鍵穴が外部に露出しないようにその位置が設定され、前記カバー本体の周壁には前記鍵穴を外部に露出するための切断可能な肉薄線部を設けたことを特徴とする。
【０００７】
本発明が適用される錠としては、専ら、南京錠・蔵錠が有るが、形状を少し変形させれば、例えばシリンダー錠といった他の種類の錠にも適用可能である。また、これら南京錠・蔵錠が使用される個所としては、例えば収納ケース、工具箱、郵便受け、薬品棚、ショーケース、門、扉等といった南京錠・蔵錠が使用できるすべての範囲で適用可能である。
【発明の効果】
【０００８】
本発明に係る錠用封印カバーは、一側面が錠本体を収納するために開放する箱状のカバー本体と、該カバー本体から突設されると共に施錠杆を挿通する通孔が開設された掛止片と、からなる。通孔はカバー本体内に収納した錠本体が抜け出て鍵穴が外部に露出しないようにその位置が設定されているので、無断で錠を開錠する不正行為を行うには錠用封印カバーを破断して鍵穴を露出させなければならない。よって、不正行為が行なわれたことにより、錠用封印カバーが破断されると、その修復は不可能なため、不正行為を未然に防止する効果がある。また、仮に不正行為が行なわれたときは外観上その痕跡が容易に解り、不正行為が行なわれたことをつぶさに知り得て、それに対する適切な処置を速やかに取ることができるという効果が有る。
【発明を実施するための最良の形態】
【０００９】
以下、本発明に係る錠用封印カバーの実施の形態を図面に基づき詳しく説明する。図１は本発明に係る錠用封印カバーの斜視図、図２（イ）は同正面図、図２（ロ）は同平面図、図２（ハ）は同底面図、図２（ニ）は同右側面図、図３（イ）は図２（イ）のＸ−Ｘ線一部拡大断面図、図３（ロ）は図２（イ）のＹ−Ｙ線一部拡大断面図である。錠用封印カバーＡは、原料として合成樹脂材、例えば低密度ポリエチレンまたはポリプロピレンが使用され、一側面である上面が開放した箱状をなし、図４で示される南京錠２０が丁度収納可能な大きさに形成されている。
【００１０】
錠用封印カバーＡを更に詳しく説明すると、図２に示すように錠用封印カバーＡは、上面が錠本体を収納するために開放し、図２（イ）の図を見て前側壁１ａ、後側壁１ｂ、底壁１ｃ、右側壁１ｄ、左側壁１ｅにより囲われる箱状のカバー本体１を有する。該カバー本体１の上面は開放され、該開放口２の一側、すなわち左側壁１ｅの上端縁に左側壁１ｅと同じ幅の掛止片３が一体に突設され、該掛止片３に後記する南京錠２０の施錠杆２３を挿通する通孔４が開設される。また、該掛止片３の基端部に、肉薄部５が横断状に形成されている。
【００１１】
カバー本体１の右側壁１ｄにおける上端部の外側面には、外側へ突出する摘み片６が一体に突設され、該摘み片６を指先で挟んで摘めるようになっている。また、その右側壁１ｄと底壁１ｃとの内周面であってそれぞれ長手方向に沿った両側縁に、切断可能な肉薄線部７，７が設けられている。これら肉薄線部７，７は右側壁１ｄから底壁１ｃに亘り連続しており、前記摘み片６を指先で摘んで外側へ引くことにより、両肉薄線部７，７に沿って右側壁１ｄ及び底壁１ｃが破断するようになっている。前側壁１ａにおける外側面の下半部分に凹凸面が形成され、管理ナンバーの印刷部分８としている。
【００１２】
カバー本体１の内周面には、前側壁１ａと後側壁１ｂとの内側面の中央に位置して補強用の縦リブ９が突設される。また、右側壁１ｄと左側壁１ｅとの内側面に、その長手方向に沿って複数本（３本）の突リブ１０が平行に突設されている。この突リブ１０も補強用である。底壁１ｃの内側面に左・右側壁１ｄ，１ｅ側に寄せて水抜き孔１１が開設され、底壁１ｃの内側面の適宜位置に複数のボス１２が突設されている。これらボス１２は、収納された南京錠２０の底面を支持するためのものである。また、底壁１ｃの内側面の前後側壁１ａ，１ｂ側には、両端が前記左右底壁１ｄ，１ｅの設けられた両側の突リブ１０，１０と連続するようにして同じ突リブ１０，１０が設けられている。
【００１３】
本発明で使用される錠としての南京錠２０は、図４に示すように錠本体２１の底面２１ａに鍵穴２２が設けられ、錠本体２１の一側すなわち上面２１ｂに逆Ｕ字状をなす施錠杆２３が取着される。施錠杆２３の一端は取付孔２４を介して錠本体２１内に挿入され、他端は係止孔２５に嵌入し得るようになっている。そこで、施錠杆２３の他端を係止孔２５を介して錠本体２１内に押し込むと施錠でき、鍵穴２２に鍵２６を差し込み所定の方向へ回動することにより、施錠杆２３が開錠される。
【００１４】
本発明に係る錠用封印カバーＡは上記構成からなり、次にその使用方法について説明する。図５乃至図７において、３０は重要な書類を保管しておくためのケースである。該ケース３０は、ケース本体３１と該ケース本体３１に開閉自在に被着される蓋体３２とからなる。ケース本体３１と蓋体３２との外側面には、開閉される蓋体３２を施錠するための係止手段としての係止部材対３３ａ，３３ｂが取着されている。ケース本体３１側の係止部材３３ａは、該ケース本体３１の外周面に固着され、環状部３４を有する。一方、蓋体３２側の係止部材３３ｂは、一端が蓋体３２の周縁に回動自在に軸着され、他端にケース本体３１の外周面に回動させたとき前記環状部３４を挿通する差込溝３５が開設される。
【００１５】
そこで、南京錠２０で蓋体３２をケース本体３１に施錠する際、図４に示すように施錠杆２３の自由端となる他端側に掛止片３が位置するようにして南京錠２０を錠用封印カバーＡ内に収納する。これにより、南京錠２０の鍵穴２２が、錠用封印カバーＡの底壁１ｃにより塞がれる。そして、図５に示すように差込溝３５に挿通された環状部３４に施錠杆２３の他端を挿通すると共に、該他端を更に掛止片３の通孔４に挿通した状態で、その他端を係止孔２５に押し込んで施錠する。これにより、図６に示すように鍵穴２２が覆われた状態で錠本体２１がカバー本体１内に収納される。
【００１６】
この際、前記通孔４は、カバー本体１内に収納した錠本体２１が抜け出て鍵穴２２が外部に露出しないようにその位置が設定されているので、錠用封印カバーＡと南京錠２０とがほぼ一体をなし、不正を行なうため錠用封印カバーＡを外そうとしてもできない。そこで、鍵穴２２を外部へ露出させようと無理にカバー本体１を引っ張ると、例えば、掛止片３基端の肉薄部５または右側壁１ｄ、底壁１ｃの肉薄線部７，７からカバー本体１が破断して壊れる。しかも、その修復は不可能である。よって、不正行為が行なわれれば、外観上その痕跡が容易に解り、その不正行為が行なわれたことをつぶさに知り得て、それに対する適切な処置を速やかに取ることができる。
【００１７】
何ら不正が行なわれず、正常な状態で蓋体３２を開きたい場合は、指先で摘み片６を摘んで引っ張ることにより、図７に示すように右側壁１ｄ及び底壁１ｃがその両肉薄線部７，７で切断され、底面の鍵穴２２を外部に露出させることができる。よって、そこから鍵（図示せず。）を差し込んでロックを外し開錠する。これにより、蓋体３２を開くことができる。また、再び蓋体３２を施錠する際には、前記と同様に施錠杆２３の自由端となる他端側に掛止片３が位置するようにして南京錠２０を別途用意される新しい錠用封印カバーＡ内に収納する。そして、差込溝３５に挿通された環状部３４に施錠杆２３の他端を挿通すると共に、該他端を更に掛止片３の通孔４に挿通した状態で係止孔２５に押し込む。
【００１８】
図８（イ）（ロ）は、他の実施の形態に係る錠用封印カバーを示すもので、この錠用封印カバーＡ１は、カバー本体１に施錠杆２３を挿通させる通孔を開設した掛止片を２個突設してなり、その他の構成は本発明に係る錠用封印カバーＡと同じなので、同一部位は同一番号を附すことにより詳しい説明は省略する。
【００１９】
他の実施の形態に係る錠用封印カバーＡ１は、カバー本体１における開放口２の一側、すなわち左側壁１ｅの上端縁に左側壁１ｅと同じ幅の第一掛止片３ａが一体に突設され、前側壁１ａの上端であって右側壁１ｄ側の端部に同じく第二掛止片３ｂが一体に突設される。これら第一・第二掛止片３ａ，３ｂには、それぞれ南京錠２０の施錠杆２３が挿通される通孔４ａ，４ｂが開設される。この内、図８（ロ）に示すように第二掛止片３ｂの通孔４ｂは、施錠杆２３の取付孔２４側の一端に位置し、第一掛止片３ａの通孔４ａは係止孔２５側の他端に位置するようになっている。
【００２０】
このように、施錠杆２３に掛止片３ａ，３ｂを２個所で止めるようにしたのは、例えばカバー本体１の内容積に対して収納される南京錠２０の錠本体２１の容積が比較的小さい場合に効果があるからである。すなわち、本発明のように掛止片３が１個では錠用封印カバーＡから南京錠２０が抜け出てしまう危険性があるので、これを防ぐべくなされたもので、錠用封印カバーＡ１と南京錠２０との一体性を増して南京錠２０に確実に止め、南京錠２０が錠用封印カバーＡ１から抜け出ないようにするためである。
【００２１】
本発明に使用した南京錠２０は、鍵穴２２が錠本体２１の底壁１ｃに設けられていたが、錠本体２１の前側壁１ａに設けられていても本発明が適用できることは勿論である。
【図面の簡単な説明】
【００２２】
【図１】本発明に係る錠用封印カバーの斜視図。
【図２】（イ）は同正面図、（ロ）は同平面図、（ハ）は同底面図、（ニ）は同右側面図。
【図３】（イ）は図２（イ）のＸ−Ｘ線一部拡大断面図、（ロ）は同図（イ）のＹ−Ｙ線一部拡大断面図。
【図４】錠用封印カバーと南京錠との斜視図。
【図５】錠用封印カバーの使用状態を示す斜視図。
【図６】同要部の断面図。
【図７】錠用封印カバーの使用状態を示す斜視図。
【図８】（イ）は他の実施の形態に係る錠用封印カバーの斜視図、（ロ）は同使用状態を示す斜視図。
【符号の説明】
【００２３】
１            カバー本体
３            掛止片
３ａ          掛止片
３ｂ          掛止片
４            通孔
４ａ          通孔
４ｂ          通孔
７            肉薄線部
２０          錠（南京錠）
２１          錠本体
２２          鍵穴
２３          施錠杆
Ａ            錠用封印カバー
Ａ１          錠用封印カバー
【図１】
0005192202.tif 000002
【図２】
0005192202.tif 000003
【図３】
0005192202.tif 000004
【図４】
0005192202.tif 000005
【図５】
0005192202.tif 000006
【図６】
0005192202.tif 000007
【図７】
0005192202.tif 000008
【図８】
0005192202.tif 000009